(57)【要約】【課題】階段下の空間を任意の用途に利用可能としつつ階段の清浄度を向上させる。【解決手段】クリーンルーム用の透かし階段（40）は、複数の踏み板（41）の下方に踏み板（41）と離間すると共に複数の踏み板（41）を下側から覆うように配置され、かつ上面（47）が階上から階下へ向かって連続的に低くなっている覆い部材（46）を備える。【選択図】図１
2019173267.tif 000002
【特許請求の範囲】
【請求項１】
複数の踏み板（41）と、
複数の上記踏み板（41）を支持する支持部材（45）とを備え、
隣り合う上記踏み板（41）の間に間隙（44）が形成されたクリーンルーム用の透かし階段（40）であって、
複数の上記踏み板（41）の下方に該踏み板（41）と離間すると共に複数の上記踏み板（41）を下側から覆うように配置され、かつ上面（47）が階上から階下へ向かって連続的に低くなっている覆い部材（46）を備える
ことを特徴とするクリーンルーム用の透かし階段。
【請求項２】
請求項１において、
上記支持部材（45）は、上記踏み板（41）の幅方向の両端部にそれぞれ配置されており、
上記支持部材（45）と上記覆い部材（46）とは、互いに接合されて、複数の上記踏み板（41）の下方において、複数の上記踏み板（41）の配列方向に沿って延びかつ下側および上記踏み板（41）の幅方向の両側が閉じた空間（48）を共に形成している
ことを特徴とするクリーンルーム用の透かし階段。
【請求項３】
請求項１または２において、
上記踏み板（41）は、階下寄りの前側部（42）から階上寄りの後側部（43）に向かって低くなるように傾斜している
ことを特徴とするクリーンルーム用の透かし階段。
【請求項４】
請求項１〜３のいずれか１項において、
上記踏み板（41）は、前後方向の側部（42,43）が下方に曲がった形状となっている
ことを特徴とするクリーンルーム用の透かし階段。
【請求項５】
請求項１〜４のいずれか１項に記載のクリーンルーム用の透かし階段（40）と、
下方階の床の近傍から空気を吸い込みかつ上記透かし階段（40）へ向かって空気を吹き出す気流発生装置（50）とを備える
ことを特徴とする屋内システム。
【発明の詳細な説明】
【技術分野】
【０００１】
本開示は、クリーンルーム用の透かし階段およびそれを備えた屋内システムに関するものである。
【背景技術】
【０００２】
従来より、多層階のクリーンルームに設けられた階段室と、階段室に設けられた複数の踊り場と、各踊り場間に設けられた蹴込み板のない折り返し階段とからなるクリーンルーム階段を空調する空調方式が知られている（例えば、特許文献１）。この空調方式では、踊り場の下部に吊り下げられたクリーンユニットによって、ある踊り場の踏面上部から吸い込んだ気流を、直接当該ある踊り場の踏面下方の踊り場空間へ、かつ折り返し階段の踏み板間を抜けて階段室全体へ拡散させる。
【先行技術文献】
【特許文献】
【０００３】
【特許文献１】特許第４７０７２４２号公報
【発明の概要】
【発明が解決しようとする課題】
【０００４】
しかしながら、特許文献１は、折り返し階段を前提とするものであって、階段下の空間を階段での移動とは異なる用途に用いる必要がある場合については特に言及されていない。
【０００５】
本開示の目的は、クリーンルーム用の階段において、階段下の空間を任意の用途に利用可能としつつ階段の清浄度を向上させることにある。
【課題を解決するための手段】
【０００６】
本開示の第１の態様は、複数の踏み板（41）と、複数の上記踏み板（41）を支持する支持部材（45）とを備え、隣り合う上記踏み板（41）の間に間隙（44）が形成されたクリーンルーム用の透かし階段（40）（以下、単に透かし階段（40）とも言う）を対象とする。この透かし階段（40）は、複数の上記踏み板（41）の下方に該踏み板（41）と離間すると共に複数の上記踏み板（41）を下側から覆うように配置され、かつ上面（47）が階上から階下へ向かって連続的に低くなっている覆い部材（46）を備える。
【０００７】
第１の態様では、複数の踏み板（41）上の塵埃は、当該踏み板（41）の間に形成された間隙（44）を通って覆い部材（46）上に落下する。そして、覆い部材（46）上に落下した塵埃は、当該覆い部材（46）の上面（47）にしたがって階下側へ落ちていく。すなわち、蹴込み板を有しない踏み板（41）上には塵埃が滞留しにくく、透かし階段（40）の清浄度を向上させることができる。一方、複数の踏み板（41）が配置される空間（10）と、これらを下側から覆う覆い部材（46）のさらに下側の空間（11）とは、当該覆い部材（46）によって仕切られている。このため、蹴込み板がなくても、当該空間（11）に落ちる塵埃の量が抑えられる。よって、覆い部材（46）の下方の空間（11）、すなわち階段下の空間（11）を任意の用途に利用することができる。
【０００８】
本開示の第２の態様は、上記第１の態様において、上記支持部材（45）は、上記踏み板（41）の幅方向の両端部にそれぞれ配置されており、上記支持部材（45）と上記覆い部材（46）とは、互いに接合されて、複数の上記踏み板（41）の下方において、複数の上記踏み板（41）の配列方向に沿って延びかつ下側および上記踏み板（41）の幅方向の両側が閉じた空間（48）を共に形成していることを特徴とする。
【０００９】
第２の態様では、支持部材（45）と覆い部材（46）とによって、複数の踏み板（41）の下方に下側および踏み板（41）の幅方向の両側が閉じた空間（48）が形成される。よって、踏み板（41）間の間隙（44）を通って覆い部材（46）上に落下した塵埃は、当該空間（48）内において階下側へ落ちていく一方で覆い部材（46）の下方の空間（11）には落ちない。
【００１０】
本開示の第３の態様は、上記第１または第２の態様において、上記踏み板（41）は、階下寄りの前側部（42）から階上寄りの後側部（43）に向かって低くなるように傾斜していることを特徴とする。
【００１１】
第３の態様では、踏み板（41）上の塵埃が、当該踏み板（41）の傾斜にしたがって後側部（43）の方へと移動しやすい。そして、後側部（43）まで移動してきた塵埃はそのまま踏み板（41）間の間隙（44）を通って覆い部材（46）上に落ちる。つまり、踏み板（41）上の塵埃が当該踏み板（41）上に滞留しにくく、透かし階段（40）の清浄度をさらに向上させることができる。また、透かし階段（40）を上り下りする者に対して、後側部（43）に向かって低くなる傾斜、すなわち当該透かし階段（40）の構造体側に向かって低くなる傾斜によって、安定感または安心感を与えることができる。
【００１２】
本開示の第４の態様は、上記第１〜第３の態様のいずれか１つにおいて、上記踏み板（41）は、前後方向の側部（42,43）が下方に曲がった形状となっていることを特徴とする。
【００１３】
第４の態様では、踏み板（41）の前後方向の側部（42,43）が下方に曲がった形状となっているため、前側部（42）または後側部（43）の付近に存在する塵埃が当該側部（42,43）から落下しやすい。よって、透かし階段（40）の清浄度の向上が図られる。また、踏み板（41）の前後方向の側部（42,43）が曲がった形状となっていることにより、当該踏み板（41）の強度の向上が図られる。
【００１４】
本開示の第５の態様は、屋内システム（20）を対象とする。この屋内システム（20）は、上記第１〜第４の態様のいずれか１つに係るクリーンルーム用の透かし階段（40）と、下方階の床の近傍から空気を吸い込みかつ上記透かし階段（40）へ向かって空気を吹き出す気流発生装置（50）とを備える。
【００１５】
第５の態様では、気流発生装置（50）が透かし階段（40）へ向かって吹き出す空気の流れにより、塵埃が踏み板（41）間の間隙（44）を通って覆い部材（46）上に落ちやすくなる。また、気流発生装置（50）が下方階の床の近傍から空気を吸い込むことにより、覆い部材（46）上の塵埃がその上面（47）にしたがって階下側へ落ちていきやすくなる。これらにより、透かし階段（40）の清浄度をさらに向上させることができる。
【図面の簡単な説明】
【００１６】
【図１】図１は、実施形態の屋内システムを概略的に示す正面図であって、手前側の側桁を省略して示してある。
【図２】図２は、実施形態の透かし階段を概略的に示す斜視図である。
【図３】図３は、図１における領域Ａを拡大して示す拡大図であって、手前側の側桁を省略して示してある。
【発明を実施するための形態】
【００１７】
実施形態について、図１〜図３を参照して説明する。なお、本明細書において、「クリーンルーム」の語には、半導体工場や食品工場等のクリーンルームはもちろんのこと、その他一定の清浄度が必要とされる屋内空間が含まれるものとする。
【００１８】
図１に示すように、屋内システム（20）は、透かし階段（40）と、空気調和装置（50）とを備える。空気調和装置（50）は、気流発生装置を構成している。なお、気流発生装置を構成する装置は、気流を発生できる装置であれば他の任意の装置であってもよい。
【００１９】
透かし階段（40）は、空気調和装置（50）が配置されるクリーン空間（10）（すなわち、図１において透かし階段（40）の左側から上側にわたる空間）と、機械室（11）（すなわち、図１において透かし階段（40）の右側から下側にわたる空間）とを、上階側の床部材（30）と共に区画している。透かし階段（40）は、複数の踏み板（41）と、２つの側桁（45）と、１つの覆い部材（46）とを備える。側桁（45）は、支持部材を構成している。なお、支持部材は、複数の踏み板（41）を支持するものであれば、例えば各踏み板（41）を下方から支持するささら桁等の側桁（45）以外の部材によって構成されていてもよい。
【００２０】
複数の踏み板（41）は、上階側から下階側に向かって、互いに所定の間隔をおいて並んで配置されている。本実施形態の透かし階段（40）には、蹴込み板が設けられておらず、隣り合う踏み板（41）の間に間隙（44）が形成されている。
【００２１】
特に図３に示すように、各踏み板（41）は、階下寄りの前側部（42）から階上寄りの後側部（43）に向かって低くなるように傾斜している。この傾斜角度は、例えば水平面に対して２〜５°程度であってもよい（図３において、２°≦θ≦５°）。なお、各踏み板（41）は、水平向きに配置されていてもよい。
【００２２】
各踏み板（41）は、板状部材の端部を折り曲げて形成されていて、当該踏み板（41）の前側部（42）および後側部（43）は、下方に曲がった形状になっている。また、各踏み板（41）の後側部（43）と覆い部材（46）との間には、所定幅Ｌの間隙（例えば、Ｌ≧５０ｍｍの間隙）が形成されている。この間隙が存在することにより、覆い部材（46）上の塵埃が下方に落ちていきやすくなると共に、当該覆い部材（46）を例えば水を用いて洗浄することが容易になる。
【００２３】
２つの側桁（45）は、踏み板（41）の幅方向（図１における紙面直交方向）の両端部に１つずつ配置された縦板状の部材である。各側桁（45）は、例えば、上端部が上階側の床部材（30）に接合され、下端部が下階側の床に接合されている。そして、各側桁（45）は、全ての踏み板（41）の両端部に接合されていて、当該踏み板（41）を支持している。
【００２４】
覆い部材（46）は、複数の踏み板（41）を下側から覆うように配置された板状の部材である。覆い部材（46）は、複数の踏み板（41）の下方に当該踏み板（41）と離間している。覆い部材（46）は、階上から階下へ向かって低くなるように傾斜して配置されている。当該覆い部材（46）の上面（47）は、階上から階下へ向かって連続的かつ直線的に低くなる斜面である。なお、覆い部材（46）の上面（47）は、階上から階下へ向かって連続的に低くなっていれば、その他の任意の形状になっていてもよく、また覆い部材（46）は、そのような上面（47）を有するものであれば板状以外の任意の形状に形成されていてもよい。
【００２５】
覆い部材（46）は、２つの側桁（45）の下端部に接合されている。そして、２つの側桁（45）と覆い部材（46）とは、特に図２に示すように、複数の踏み板（41）の下方において、当該踏み板（41）の配列方向に沿って延び（すなわち、上階側から下階側へ向かって延び）かつ下側および当該踏み板（41）の幅方向の両側が閉じた空間（48）を共に形成している。換言すると、２つの側桁（45）と覆い部材（46）とは、複数の踏み板（41）の下方において、当該踏み板（41）の配列方向に沿って延びる幅広溝状の空間（48）を共に形成している。
【００２６】
空気調和装置（50）は、装置本体（51）と、フィルタ（52）と、給気通路（53）と、排気通路（54）とを有する。
【００２７】
装置本体（51）は、フィルタ（52）および図示しない熱交換器やファン等を収容している。装置本体（51）には、クリーン空間（10）の壁部の床近傍に開口する排気通路（54）と、クリーン空間（10）の天井近傍に開口する給気通路（53）とが接続されている。
【００２８】
空気調和装置（50）は、クリーン空間（10）、排気通路（54）、装置本体（51）、給気通路（53）、そしてクリーン空間（10）の順に循環する空気流れを作り出す。すなわち、空気調和装置（50）は、透かし階段（40）の下方階の床の近傍から空気を吸い込みかつ当該透かし階段（40）へ向かって空気を吹き出す。これにより、覆い部材（46）の上面（47）に沿って下方へ向かう気流が生じる。踏み板（41）から覆い部材（46）へ落ちた塵埃は、この気流に乗って下方へ移動する（空気流れについては、図１中の矢印も参照のこと）。
【００２９】
フィルタ（52）は、排気通路（54）を流れてきた空気中の塵埃を除去する。これにより、給気通路（53）からクリーン空間（10）へ清浄な空気が供給される。
【００３０】
−実施形態の効果−
本実施形態の透かし階段（40）は、複数の踏み板（41）と、複数の上記踏み板（41）を支持する２つの側桁（45）とを備え、隣り合う上記踏み板（41）の間に間隙（44）が形成されている。そして、透かし階段（40）は、複数の上記踏み板（41）の下方に該踏み板（41）と離間すると共に複数の上記踏み板（41）を下側から覆うように配置され、かつ上面（47）が階上から階下へ向かって低くなるように傾斜している覆い部材（46）を備える。
【００３１】
したがって、複数の踏み板（41）上の塵埃は、当該踏み板（41）の間に形成された間隙（44）を通って覆い部材（46）上に落下する。そして、覆い部材（46）上に落下した塵埃は、当該覆い部材（46）の上面（47）の傾斜にしたがって階下側へ落ちていく。すなわち、蹴込み板を有しない踏み板（41）上には塵埃が滞留しにくく、透かし階段（40）の清浄度を向上させることができる。一方、複数の踏み板（41）が配置されるクリーン空間（10）と、これらを下側から覆う覆い部材（46）のさらに下側の空間（11）とは、当該覆い部材（46）によって仕切られている。このため、蹴込み板がなくても、当該空間（11）に落ちる塵埃の量が抑えられる。よって、覆い部材（46）の下方、すなわち階段下の空間を機械室（11）として利用することができる。
【００３２】
また、本実施形態の透かし階段（40）では、上記２つの側桁（45）が、上記踏み板（41）の幅方向の両端部に１つずつ配置されており、上記２つの側桁（45）と上記覆い部材（46）とは、互いに接合されて、複数の上記踏み板（41）の下方において、複数の上記踏み板（41）の配列方向に沿って延びかつ下側および上記踏み板（41）の幅方向の両側が閉じた空間（48）を共に形成している。よって、踏み板（41）間の間隙（44）を通って覆い部材（46）上に落下した塵埃は、当該空間（48）内において階下側へ落ちていく一方で機械室（11）には落ちない。
【００３３】
また、本実施形態の透かし階段（40）では、上記踏み板（41）は、階下寄りの前側部（42）から階上寄りの後側部（43）に向かって低くなるように傾斜している。よって、踏み板（41）上の塵埃が、当該踏み板（41）の傾斜にしたがって後側部（43）の方へと移動しやすい。そして、後側部（43）まで移動してきた塵埃はそのまま踏み板（41）間の間隙（44）を通って覆い部材（46）上に落ちる。つまり、踏み板（41）上の塵埃が当該踏み板（41）上に滞留しにくく、透かし階段（40）の清浄度をさらに向上させることができる。また、透かし階段（40）を上り下りする者に対して、後側部（43）に向かって低くなる傾斜、すなわち当該透かし階段（40）の構造体側に向かって低くなる傾斜によって、安定感または安心感を与えることができる。
【００３４】
また、本実施形態の透かし階段（40）では、上記踏み板（41）は、前後方向の側部（42,43）が下方に曲がった形状となっている。よって、前側部（42）または後側部（43）の付近に存在する塵埃が当該側部（42,43）から落下しやすい。このため、透かし階段（40）の清浄度の向上を図ることができる。また、踏み板（41）の前後方向の側部（42,43）が曲がった形状となっていることにより、当該踏み板（41）の強度の向上を図ることができる。
【００３５】
一方、本実施形態の屋内システム（20）は、クリーンルーム用の透かし階段（40）と、下方階の床の近傍から空気を吸い込みかつ上記透かし階段（40）へ向かって空気を吹き出す空気調和装置（50）とを備える。このため、空気調和装置（50）が透かし階段（40）へ向かって吹き出す空気の流れにより、塵埃が踏み板（41）間の間隙（44）を通って覆い部材（46）上に落ちやすくなる。また、空気調和装置（50）が下方階の床の近傍から空気を吸い込むことにより、覆い部材（46）上の塵埃がその上面（47）の傾斜にしたがって階下側へ落ちていきやすくなる。これらにより、透かし階段（40）の清浄度をさらに向上させることができる。
【００３６】
《その他の実施形態》
上記実施形態については、以下のような構成としてもよい。
【００３７】
上記実施形態では、気流発生装置としての空気調和装置（50）が設けられているが、気流発生装置は必ずしも設けられている必要はない。なお、気流発生装置を設ける場合、クリーンルームに通常設けられている装置（例えば、空気調和装置）をこの用途に利用することが好ましい。
【００３８】
また、上記実施形態では、透かし階段（40）の下方の空間は機械室（11）であるが、透かし階段（40）の下方の空間は、透かし階段（40）によってクリーン空間（10）から仕切られた空間であればその他の任意の種類の空間であってもよい。
【００３９】
また、上記実施形態の透かし階段（40）を用いて、例えば折り返し階段等の様々な形態の階段を構成することが可能である。
【００４０】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００４１】
以上説明したように、本開示は、クリーンルーム用の透かし階段およびそれを備えた屋内システムについて有用である。
【符号の説明】
【００４２】
20  屋内システム
40  透かし階段
41  踏み板
42  前側部
43  後側部
44  間隙
45  側桁（支持部材）
46  覆い部材
47  上面
48  空間
50  空気調和装置（気流発生装置）
【図１】
2019173267.tif 000003
【図２】
2019173267.tif 000004
【図３】
2019173267.tif 000005